(57)【要約】【課題】ビニールハウスの妻面に設けられた出入口開口を開閉する引き戸の走行方向に沿って下側に敷設された引き戸用ガイドレールを、レール支持金具で着脱可能に保持・制止させる支持構造を提供する。【解決手段】レール支持金具３のうち妻面１ａの骨組材４に取付ける立ち上り部分３ｂの内側面に、引き戸用ガイドレール２の上縁部２０を着脱可能に制止させる位置決め突起５が設けられている。【選択図】図３
0003127022.tif 000002
【実用新案登録請求の範囲】
【請求項１】
ビニールハウスの妻面に設けられた出入口開口を開閉する引き戸の走行方向に沿って下側に敷設された引き戸用ガイドレールを、前記妻面を構成する骨組材に取付けた側面視が略Ｌ字形状のレール支持金具で着脱可能に保持・制止させる支持構造であって、
前記レール支持金具のうち前記妻面の骨組材に取付ける立ち上り部分の内側面に、引き戸用ガイドレールの上縁部を着脱可能に制止させる位置決め突起が設けられていることを特徴とする、ビニールハウスの引き戸用ガイドレールの支持構造。
【考案の詳細な説明】
【技術分野】
【０００１】
この考案は、簡易構造の温室として周知のいわゆるビニールハウスの妻面に設けられた出入口開口を開閉する引き戸の走行方向に沿って下側に敷設された引き戸用ガイドレールを、レール支持金具で着脱可能に保持・制止させる支持構造の技術分野に属する。
【背景技術】
【０００２】
各種の野菜や果物などの促成栽培を行うビニールハウス１には、通例図１に示すように、妻面１ａに、人や運搬用トラクター等の車輌の出入口１ｂが設けられている。この出入口１ｂには、上下にガイドレール２及び９を敷設し、同ガイドレール２及び９に沿って移動できる引き戸８が開閉自在に設置されている。
しかし、下側の引き戸用ガイドレール２は、これを出入口１ｂの地面上に敷設したままでは、運搬用トラクター等の車輌の出入りに邪魔である。ビニールハウス１内へ繰り返し出入りする運搬用トラクター等によって踏みつけられるままにしておくと、ガイドレール２は変形したり汚損して、引き戸８のスライド移動に支障をきたす問題が発生する。
そこで従来、下記特許文献１には、運搬用トラクター等の車輌が出入口を通る際に、引き戸の走行方向に沿って敷設した下側の引き戸用ガイドレールを取外せる構成とした引き戸用ガイドレールの支持構造が開示されている。具体的には、出入口の地面上に敷設する着脱レールが、出入口を除く左右に予め敷設されており、妻面の骨組材に取付けた支持金具で支持された常設の定置レールに連結金具で連結された構成である。着脱レールを敷設（連結）する手段は、特許文献１の図２を参照するに、前記着脱レールと定置レールの端面同士を突き合わせ、この突き合わせ箇所を、前記両ガイドレールと同じ横断面形状をなす連結金具で繋ぎ合わせ、該連結金具に設けられた止めリング内へ差し込んだ固定ピンを地中にしっかりと突き刺して連結する構成と認められる。運搬用トラクター等が出入口を出入りする際には、前記地中に突き刺された固定ピンを引き抜き、着脱レールを連結金具から取外す仕組みである。
【０００３】
【特許文献１】実用新案登録３０３０７６０号公報
【考案の開示】
【考案が解決しようとする課題】
【０００４】
上記特許文献１に開示された引き戸用ガイドレールの支持構造も一案ではあるが、運搬用トラクター等の車輌が出入口を通る度に、地中に突き刺した固定ピンを引き抜く作業に手間が掛かるので、着脱レールを取外す作業が面倒である。そして再び取付ける場合には、凹凸のある地面に馴染まない上記二つのガイドレールの端面はきっちり突き合わせづらいし、再び固定ピンを地中にしっかりと突き刺す作業もやはり面倒である。
更に、上記特許文献１の引き戸用ガイドレールの支持構造は、連結金具を地中に突き刺した固定ピンで引き戸用ガイドレールを固定した構成ではあるが、ビニールハウスの妻面には、単に支持金具で支持しただけの不安定な構造なので、引き戸を開閉する度にガイドレールがぐらついて、引き戸のスライド移動に不具合を生じたり、或いはちょっとした衝撃で支持金具から引き戸用ガイドレールが抜け外れることがあって使い勝手が悪い。
【０００５】
本考案の目的は、レール支持金具から引き戸用ガイドレールを取外し、或いは、再び取付ける作業が簡単であり、取付けた引き戸用ガイドレールをレール支持金具の溝内へ確実に安定に保持・制止させることができ、引き戸を引き戸用ガイドレールに沿って安定に移動させられる、ビニールハウスの引き戸用ガイドレールの支持構造を提供することである。
【課題を解決するための手段】
【０００６】
上記従来技術の課題を解決するための手段として、請求項１に記載した考案に係るビニールハウスの引き戸用ガイドレールの支持構造は、
ビニールハウス１の妻面１ａに設けられた出入口開口１ｂを開閉する引き戸８の走行方向に沿って下側に敷設された引き戸用ガイドレール２を、前記妻面１ａを構成する骨組材４に取付けた側面視が略Ｌ字形状のレール支持金具３で着脱可能に保持・制止させる支持構造であって、
前記レール支持金具３のうち前記妻面１ａの骨組材４に取付ける立ち上り部分３ｂの内側面に、引き戸用ガイドレール２の上縁部２０を着脱可能に制止させる位置決め突起５が設けられている。
【考案の効果】
【０００７】
本考案によるビニールハウスの引き戸用ガイドレールの支持構造は、運搬用トラクター等の車輌が出入口１ｂを通る際には、引き戸用ガイドレール２は持ち上げるだけの簡単な作業でレール支持金具３から取外し出入口開口１ｂから撤去することができる。
そして、引き戸８を閉じる（スライド移動）場合には、先に撤去した引き戸用ガイドレール２ａはレール支持金具３の溝内へ押し入れるだけの簡単な作業で再びきっちり設置することができる。即ち、レール支持金具３の位置決め突起５で引き戸用ガイドレール２の上縁部２０を確実に安定に保持・制止させることができ、出入口開口１ｂを開閉する引き戸８は、引き戸用ガイドレール２に沿って安定に移動させることができる。
【考案を実施するための最良の形態】
【０００８】
レール支持金具３のうち妻面１ａの骨組材４に取付ける立ち上り部分３ｂの内側面に、引き戸用ガイドレール２の上縁部２０を着脱可能に制止させる位置決め突起５を設ける。
【実施例１】
【０００９】
以下に、本考案に係るビニールハウスの引き戸用ガイドレールの支持構造を図１〜図７に示した実施例に基づいて説明する。
本考案の引き戸用ガイドレールの支持構造は、図１及び図２に示すように、ビニールハウス１の妻面１ａに設けられた出入口開口１ｂを開閉する引き戸８の走行方向に沿って地面上に敷設された横断面が略Ｃ字形状をなす引き戸用ガイドレール２（下レール）のうち、出入口開口１ｂの間口幅相当長さ分を、撤去したり再び設置することが自在な着脱レール２ａとし、該着脱レール２ａの支持構造として実施される。前記着脱レール２ａの延長線上に固定状態に位置する図１中左右の定置レール２ｂ、２ｂは、支持構造の詳細な図示を省略したが、公知のレール支持構造で固定されている。但し、本実施例の場合、定置レール２ｂの内端部は、前記着脱レール２ａの両端を支持するレール支持金具３を共通に使用して支持されている。
本考案の特徴は、図２〜図５に示すように、前記着脱レール２ａの両端が、妻面１ａを構成する骨組材である縦方向の角パイプ４（通例５０ｍｍ角）へボルト７で取付けた側面視が略Ｌ字状のレール支持金具３で着脱可能に保持・制止されていることである。
レール支持金具３は、出入口開口１ｂの左右両側に立てた角パイプ４へ、底面が地面にほぼ接した状態（図４を参照）で取付けられている。
【００１０】
引き戸用ガイドレール２は、図１中の（Ａ）で囲った部分を図３及び図４に拡大して示したように、出入口開口１ｂの直下の地面上に敷設する着脱レール２ａと、常設の定置レール２ｂとを、前記レール支持金具３の上で一連に突き合わせて繋いだ構成とし、もって引き戸８の開閉をスムーズに行わせる構成とされている。但し、運搬用トラクター等の車輌が出入口開口１ｂを通る際には、図５に示すように、出入口開口１ｂの地面上に敷設した着脱レール２ａはレール支持金具３から取外して撤去できる構成である。
【００１１】
そのため、図６に前記レール支持金具３の構成を分かり易く拡大して示したように、レール支持金具３の下方部分は、着脱レール２ａを保持できる溝状３ａに形成されている。そして、レール支持金具３のうち角パイプ４へ取付ける立ち上り部分３ｂの内側面に、保持した着脱レール２ａの上縁部２０を着脱可能に制止させる位置決め突起５が、本実施例の場合は左右に２個設けられている。したがって、引き戸８の開閉時に振動や衝撃が着脱レール２ａや定置レール２ｂ、そしてレール支持金具３に伝わっても、前記位置決め突起５が有効に働いて、着脱レール２ａをきっちりと保持して制止させることができる。なお、前記位置決め突起５の個数は、図示した２個に限定されない。
【００１２】
前記位置決め突起５の形状は、着脱レール２ａの保持と制止に適するように、正面方向から見ると四角形をなし、側面方向（図４を参照）から見ると下方になるにしたがい前方へ突き出すように打ち起こした形状に形成されている。但し、位置決め突起５の形状・構造は、図示した実施例に限定されない。図示を省略したが、例えば正面方向から見て円形状や楕円形状、或いは台形形状、三角形状等で実施することもできる。
【００１３】
したがって、運搬用トラクター等の車輌が出入口１ｂを通る際には、着脱レール２ａは持ち上げるだけの簡単な作業でレール支持金具３から取外し出入口開口１ｂから撤去することができる（図２及び図５を参照）。
そして、引き戸８を閉じる（スライド移動）場合には、先に撤去した引き戸用ガイドレール（着脱レール）２ａはレール支持金具３の溝内へ押し入れるだけの簡単な作業で再びきっちり設置することができる。即ち、レール支持金具３の位置決め突起５で引き戸用ガイドレール（着脱レール）２ａの上縁部２０を確実に安定に保持・制止させることができ、出入口開口１ｂを開閉する引き戸８は、引き戸用ガイドレール２に沿って安定に移動させることができる。
【００１４】
因みに、前記レール支持金具３には、妻面１ａの角パイプ４に取付ける立ち上り部分３ｂであって、前記内側面に設けた位置決め突起５の上方部分に、前記角パイプ４へボルト７で取付けるためのボルト孔６…が複数（図示例では上下に２列の配置で合計１０個）設けられている。
【００１５】
また、引き戸８の構造によっては、全開した引き戸８の下縁８ａが、定置レール２ｂ内に完全にまで納まらず（引き込まず）、戸の一部分が着脱レール２ａ内に残ってしまい、前記着脱レール２ａの着脱作業に支障をきたす場合がある。このような場合には、例えば図７に例示したように、全開した引き戸８の下縁８ａが定置レール２ｂ内に完全に納まるように、レール支持金具３を出入口開口１ｂの側へ少し偏位させた状態で角パイプ４へ取付けて実施することが好ましい。上記したようにレール支持金具３の立ち上り部分３ｂには、その全面にわたりボルト孔６を多数設けているので、前記のような実施が可能である。
【００１６】
以上、本考案を実施例に基づいて説明したが、勿論、図示した実施例の限りではない。本考案の要旨及び技術的思想を逸脱しないかぎり、当業者の変形、応用にしたがい様々な実施例が成立することを、敢えてここに、言及する次第です。
【図面の簡単な説明】
【００１７】
【図１】本考案の支持構造を備えたビニールハウスの妻面を示す正面図である。
【図２】着脱レールをレール支持金具から取外した状態をビニールハウスの後方側から見た鳥瞰図である。
【図３】図１中の符号Ａで囲った部分の拡大図である。
【図４】図３のＡ−Ａ線矢視断面図である。
【図５】着脱レールをレール支持金具から取外した状態を示す斜視図である。
【図６】レール支持金具を示す斜視図である。
【図７】レール支持金具を角パイプへ取付ける方法を示す説明図である。
【符号の説明】
【００１８】
１    ビニールハウス
１ａ  妻面
１ｂ  出入口開口
２    引き戸用ガイドレール
２ａ  着脱レール
２ｂ  定置レール
３    レール支持金具
３ｂ  レール支持金具の立ち上り部分
４    骨組材（角パイプ）
５    位置決め突起    
８    引き戸
【図１】
0003127022.tif 000003
【図２】
0003127022.tif 000004
【図３】
0003127022.tif 000005
【図４】
0003127022.tif 000006
【図５】
0003127022.tif 000007
【図６】
0003127022.tif 000008
【図７】
0003127022.tif 000009